(57)【特許請求の範囲】
【請求項１】
ラインカードユニットと、光信号と電気信号との間の相互変換を実現するためのオンボード光コンポーネントモジュールを備える光電変換ユニットと、光ファイバインターフェースユニットと、クラスタインターフェースとを含むラインカードシャーシであって、
オンボード光コンポーネントモジュールの電気信号インターフェースが電気コネクタを介してラインカードユニットに接続され、オンボード光コンポーネントモジュールの光信号インターフェースが光コネクタを介して光ファイバインターフェースユニットに接続され、
光ファイバインターフェースユニットは、光信号を光ファイバによってルータパネル上の前記クラスタインターフェースに伝送し、前記クラスタインターフェースは、ルータの異なるシャーシ間のカスケード接続を実現することを特徴とするラインカードシャーシ。
【請求項２】
前記ラインカードユニットは、パケット処理モジュールを含み、
各クラスタインターフェースと自ラインカードシャーシ内のすべてのパケット処理モジュールの間に信号伝送通路が形成され、および／または、
自ラインカードシャーシ内の各パケット処理モジュールと自ラインカードシャーシのすべてのクラスタインターフェースの間に信号伝送通路が形成されることを特徴とする請求項１に記載のラインカードシャーシ。
【請求項３】
各クラスタインターフェースと自ラインカードシャーシ内のすべての光電変換ユニットの間に信号伝送通路が形成され、および／または、
自ラインカードシャーシ内の各パケット処理モジュールと自ラインカードシャーシ内のすべての光電変換ユニットの間に信号伝送通路が形成されことを特徴とする請求項２に記載のラインカードシャーシ。
【請求項４】
ラインカードシャーシ内には、ファンユニットがさらに含まれ、
前記ラインカードシャーシは、３段のスロット構成を採用し、ラインカードユニットまたは光ファイバインターフェースユニットのそれぞれが１つの第１段のスロットを占め、各光電変換ユニットが１つの第２段のスロットを占め、ファンユニットが第３段のスロットを占め、ラインカードユニットと光電変換ユニットとの間は、バックプレーン無しの直交する電気的な接続が採用され、光ファイバインターフェースユニットと光電変換ユニットとの間は、光接続が採用されることを特徴とする請求項１に記載のラインカードシャーシ。
【請求項５】
オンボード光コンポーネントモジュールからラインカードユニットへの電気信号伝送通路に、信号駆動回路がさらに含まれることを特徴とする請求項１に記載のラインカードシャーシ。
【請求項６】
前記光電変換ユニットは、光交差相互接続モジュールをさらに含み、
光コネクタとオンボード光コンポーネントモジュールとの間の光信号接続は、光交差相互接続モジュールによって実施されることを特徴とする請求項１に記載のラインカードシャーシ。
【請求項７】
光交差相互接続モジュールは、マルチコア分岐光ファイバまたは光バックプレーンであることを特徴とする請求項５に記載のラインカードシャーシ。
【請求項８】
中央交換シャーシおよびラインカードシャーシを含み、中央交換シャーシとラインカードシャーシとの間を光ファイバによって相互接続するマルチシャーシクラスタルータであって、
前記ラインカードシャーシは、請求項１〜７の何れか一項に記載のラインカードシャーシであり、
前記中央交換シャーシは、同一のラインカードシャーシ内の異なるラインカードユニット間の経路選択、および異なるラインカードシャーシ間の経路選択を実現することを特徴とするマルチシャーシクラスタルータ。
【請求項９】
中央交換シャーシは、第１種経路選択ユニットと第２種経路選択ユニットとを含み、第２種経路選択ユニットは、クラスタインターフェースと第１種経路選択ユニットに接続されて、同一のラインカードシャーシ内のクラスタインターフェースから第１種経路選択ユニットへの経路選択または第１種経路選択ユニットからクラスタインターフェースへの経路選択を実現し、第１種経路選択ユニットは、第２種経路選択ユニットに接続されて、異なるラインカードシャーシ間の第２種経路選択ユニットの経路選択を実現することを特徴とする請求項８に記載のマルチシャーシクラスタルータ。
【請求項１０】
パケット処理方法であって、
請求項９に記載のマルチシャーシクラスタルータが用いられ、
入口ラインカードシャーシのラインカードユニットがパケット入方向処理を行い、パケットを入口ラインカードシャーシの光電変換ユニットに送信するステップと、
前記光電変換ユニットが電気信号を光信号に変換し、光信号を中央交換シャーシに伝送するステップと、
中央交換シャーシがパケット交換を行い、入インターフェースが光信号を電気信号に変換し、パケットヘッドに基づいて目的ラインカードシャーシを検索し、出インターフェースが電気信号を光信号に変換し、光信号を目的ラインカードシャーシに伝送するステップと、
目的ラインカードシャーシの光電変換ユニットが光信号を電気信号に変換し、電気信号を目的ラインカードユニットに伝送するステップと、
目的ラインカードユニットがパケット出方向処理を行い、前記パケットを送信するステップとを含むことを特徴とするパケット処理方法。
【発明の詳細な説明】
【背景技術】
【０００１】
ルータは、オープンシステムインターコネクションプロトコルモデルのレイヤ３で作動するネットワークインフラ機器、すなわち、ネットワーク層のパケット交換機器であり、異なるタイプのネットワークを接続する能力を有し、かつ、パケット伝送経路を選択することができる。インターネットの急速な発展に伴って、ネットワークインフラ機器としてのルータは、より高度な要望が寄せられてきている。しかし、コアノードのルータの交換容量、スロット数およびインターフェース容量がニーズを満たせない場合は多い。
【図面の簡単な説明】
【０００２】
【図１】本願の実施例によるルータのラインカードシャーシの側面図および正面図である。
【図２】本願の実施例によるマルチシャーシクラスタルータの機能ブロック図である。
【図３】本願の実施例によるラインカードシャーシの接続関係の構成の模式図である。
【図４】本願の実施例によるラインカードユニットと光電変換ユニットとの接続関係の模式図である。
【図５】本願の実施例による光インターフェースユニットの接続関係の模式図である。
【図６】本願の実施例による光コネクタの内部構成の模式図である。
【図７】本願の実施例による光コネクタとクラスタインターフェースの内部構成の模式図である。
【図８】本願の実施例によるラインカードユニットと光電変換ユニットとの接続関係の模式図である。
【図９】本願の実施例によるオンボード光コンポーネントモジュールと光コネクタとの間の４×４マルチコア光ファイバの交差相互接続の模式図である。
【図１０】本願の実施例による中央交換シャーシの交換ユニットの機能ブロック図である。
【図１１】本願の実施例によるマルチシャーシクラスタシステムのパケット転送処理のフローチャートである。
【発明を実施するための形態】
【０００３】
本願の解決手段の技術原理、特徴および技術効果がより明瞭になるように、以下では、本願の解決手段について具体的な実施例を参照しながら詳細に説明する。
【０００４】
ルータは多くのパラメータを有し、例えば、スロット数は、ルータが提供できる最大のラインカードユニット（または、サービス処理ユニットと称する）の数であり、インターフェース容量は、ルータが最大で提供できるポートの数であり、インターフェース容量＝ラインカードユニット数×各ラインカードユニットのポート数であり、交換容量は、交換網能力の技術指標であり、交換網の最大スループット能力を指す。コアノードルータの交換容量、スロット数およびインターフェース容量がニーズを満たすことができない場合に、特に、配備が完了したばかりにニーズを満たすことができない場合に、事業者は、コアノードのルータが弾性可能に拡張できることを望む。一台のルータ機器で満たすことができない場合に、複数台のルータ機器によって交換容量およびインターフェース容量を拡張することができる。その結果、マルチシャーシクラスタルータが出て来た。
【０００５】
マルチシャーシクラスタは、カスケード接続技術を用いて、元のシングルシャーシルータを相互接続することによって構成された１つの新たなマルチシャーシクラスタシステムであり、交換容量、スロット数およびインターフェース容量を拡張することを実現できる。マルチシャーシクラスタルータは、通常、中央交換シャーシと、ラインカードシャーシと、相互接続光ファイバとからなる。マルチシャーシクラスタルータでは、ラインカードシャーシとラインカードシャーシとの間のパケット交換が中央交換シャーシによって実施される。
【０００６】
図１は、本願の実施例によるルータのラインカードシャーシの側面図および正面図である。図１を参照すると、本願の実施例によるクラスタルータのラインカードシャーシは、「メイン制御ユニット１０４／ラインカードユニット１０１＋光電変換ユニット１０７＋ファンユニット１０５」という三段構成を採用し、機能が同じ複数のユニットは互いに平行であり、それらが占める空間は、同一段に位置する。図１に示すように、各ラインカードユニット１０１またはメイン制御ユニット１０４は、１つの第１段のスロットを占め、各光電変換ユニット１０７は、１つの第２段のスロットを占め、ファンユニット１０５は、第３段のスロットを占める。ここで、スロットの段分けは、単に積層構成の各部を区別するためのものであり、本願を限定するものではない。
【０００７】
ラインカードユニット１０１と光電変換ユニット１０７との間は、バックプレーン無しの直交する電気的な接続が採用される。これによって、ルータ筐体の高さを変更せずに、単ラインカードシャーシの交換容量、スロット密度およびインターフェース密度を高めることができると共に、前後通風路を支持する。本願の実施例では、メイン制御ユニット／ラインカードユニットのパネル上に吸気穴を設けて、冷風が吸気穴から進入し、メイン制御ユニット／ラインカードユニット、光電変換ユニットを順に通過して熱風を形成し、それから、ファンユニットによって排出する。前記バックプレーン無しの直交する電気的な接続は、従来のバックプレーン接続、バックプレーン直交接続とは異なる。前記バックプレーン無しの直交する電気的な接続とは、プリント回路基板によって実現することなく、単板と単板（ラインカードユニットと交換ユニット）との間をコネクタによって直接に接続することを指します。ここで、単板と単板との間の角度が９０度または２７０度である。
【０００８】
従来のラインカードシャーシハードウェア構成を採用する場合、通常、ラインカードシャーシの交換ユニットは、パネル上において、カスケード接続される光ファイバインターフェースを提供することができない。すなわち、ラインカードシャーシは、交換ユニットによって中央交換シャーシにカスケード接続することができない。また、交換容量および転送性能の向上に伴って、交換ユニットのスロットにおいて大容量の交換および光電変換機能を同時に実現することは、エンジニアリング上の難易度が大きくなる。したがって、本願の実施例は、対応する新たなマルチシャーシクラスタルータを提供する。
【０００９】
図２は、本願の実施例によるマルチシャーシクラスタルータの機能ブロック図である。図２を参照すると、マルチシャーシクラスタルータは、ラインカードシャーシ１００と中央交換シャーシ３００とラインカードシャーシ２００とからなり、ラインカードシャーシ１００と中央交換シャーシ３００との間が、光ファイバ４００によって接続され、中央交換シャーシ３００とラインカードシャーシ２００との間が、光ファイバ５００によって接続される。ラインカードシャーシ１００内には、複数のラインカードユニット１０１と複数の光電変換ユニット１０７が含まれる。類似的に、ラインカードシャーシ２００内には、複数のラインカードユニット２０１と複数の光電変換ユニット２０７が含まれる。従来のクラスタルータのラインカードシャーシと比べて、ラインカードシャーシ１００内には、バックプレーンユニットを除去し、交換ユニットを光電変換ユニット１０７で置換し、光電変換ユニット１０７が元の交換ユニットの所在するスロットを占める。同様に、ラインカードシャーシ２００内には、バックプレーンを除去し、交換ユニットを光電変換ユニット２０７で置換する。ラインカードシャーシ１００には３段のスロット構成を採用し、各ラインカードユニット１０１が１つの第１段のスロットを占め、各光電変換ユニット１０７が１つの第２段のスロットを占め、ファンユニット１０５が第３段のスロットを占める。ラインカードユニット１０１と光電変換ユニット１０７との間には、バックプレーン無しの直交する電気的な接続を採用する。
【００１０】
本願の実施例によるマルチシャーシクラスタルータのラインカードシャーシ構成では、マルチシャーシクラスタルータの交換容量が非常に大きいため、マルチシャーシクラスタルータには依然として多段交換アーキテクチャを採用するが、第１、２、３段の経路選択が何れも中央交換シャーシ３００の交換ユニット３０１によって実施される。ラインカードシャーシ１００およびラインカードシャーシ２００は、第１、３段の経路選択を実施せず、ラインカードシャーシ１００およびラインカードシャーシ２００内の異なるラインカードユニット間の経路選択も中央交換シャーシ３００によって実施される。
【００１１】
図３は、本願の実施例によるラインカードシャーシの接続関係構成の模式図である。図３に示すように、図１の電気機械構成に適応するために、本願の実施例ではラインカードシャーシの接続関係を以下に改良する。
【００１２】
ラインカードシャーシ中のラインカードユニットのスロットの一部を、光ファイバインターフェースユニットのスロットに変更する、すなわち、ラインカードユニットのスロットの一部を犠牲することにより、ルータのクラスタリングを実現する。光ファイバインターフェースユニット１０６が、光コネクタ１０６２によって光電変換ユニット１０７に接続される。通常の場合に、光コネクタ１０６２の体積が電気コネクタ１０１３よりも小さいため、より高い密度を実現することができ、光ファイバインターフェースユニット１０６は単に少ないスロット空間を占める。なお、バックプレーン無しの接続によって、シャーシを変更しない場合、電気コネクタ１０１３と光コネクタ１０６２の交換が容易である。
【００１３】
光電変換ユニット１０７は、光信号と電気信号との相互変換を実現するためのオンボード光コンポーネントモジュール１０７１を備える。オンボード光コンポーネントモジュール１０７１は、電気信号インターフェースと光信号インターフェースとを有する。オンボード光コンポーネントモジュール１０７１の電気信号インターフェースが電気コネクタ１０１３を介してラインカードユニット１０１に接続され、オンボード光コンポーネントモジュール１０７１の光信号インターフェースが光ファイバ１０６３および光コネクタ１０６２を介して光ファイバインターフェースユニット１０６に接続され、光ファイバインターフェースユニット１０６がさらに光ファイバ１０６４によって光コネクタ１０６２上の光信号をルータパネル上のクラスタインターフェース１０６１に接続される。上記一連の接続によって、メッセージパケット処理モジュール１０１２からの信号は最終的にクラスタインターフェース１０６１に到達する。次に、ラインカードシャーシのクラスタインターフェース１０６１は、中央交換シャーシの交換ユニットに接続され、または、別のラインカードシャーシのクラスタインターフェースに接続される。
【００１４】
クラスタインターフェース１０６１の信号は、自ラインカードシャーシ内のパケット処理ユニット１０１２の全部または一部からのものである。
【００１５】
ラインカードユニット１０１は、パケット処理モジュール１０１２を含む。ラインカードユニットのパケット処理モジュールの信号をクラスタインターフェースに到達可能にさせるために、さらに、各ラスタインターフェース１０６１と自ラインカードシャーシ内のすべてのパケット処理モジュール１０１２の間に信号伝送通路が形成され、および／または、自ラインカードシャーシ内の各パケット処理モジュール１０１２と自ラインカードシャーシのすべてのクラスタインターフェース１０６１の間に信号伝送通路が形成される。前記信号伝送通路が形成されることとは、信号が媒体内を伝送可能であり、開始端から目的端に到達することを指し、前記媒体は、パケット処理モジュール、プリント基板回路、電気コネクタ、交換チップモジュール、光電変換モジュール、光ファイバ、光コネクタ等を含むが、これらに限定されない。
【００１６】
本願の実施例によれば、各クラスタインターフェース１０６１の信号は、ラインカードシャーシ１００のすべてのラインカードユニット１０１のすべてのパケット処理モジュール１０１２からのものである。クラスタインターフェイスは、ルータの各シャーシ間のカスケード接続を実現する。すなわち、ラインカードユニットのスロットの一部を犠牲することによりルータのクラスタリングを実現する。中央交換シャーシがある場合、ラインカードシャーシと中央交換シャーシとの間のカスケード接続を実現する。
【００１７】
本願の実施例によれば、光コネクタ１０６２は、光ファイバインターフェースユニット１０６の挿抜を支持し、光電変換ユニット１０７の挿抜をも支持する。
【００１８】
本願の実施例によれば、電気コネクタ１０１３は、ラインカードユニット１０１の挿抜を支持し、光電変換ユニット１０７の挿抜をも支持する。
【００１９】
本願の実施例によれば、伝送距離が遠い場合には、オンボード光コンポーネントモジュール１０７１からラインカードユニット１０１への電気信号伝送通路に、信号駆動回路が追加される。
【００２０】
本願の実施例によれば、光コネクタ１０６２は、複数のサブインターフェースを含み、各サブインターフェースは、マルチコア光ファイバ相互接続を提供する。
【００２１】
本願の実施例によれば、クラスタインターフェース１０６１は、複数のサブインターフェースを含み、各サブインターフェースは、マルチコア光ファイバ相互接続を提供する。
【００２２】
図４は、本願の実施例によるラインカードユニットと光電変換ユニットとの接続関係の模式図である。図４を参照すると、各パケット処理モジュール１０１２と当該パケット処理モジュール１０１２の所在するラインカードシャーシ内のすべての光電変換ユニット１０７とは、リンク接続を有する。これによって、各パケット処理モジュール１０１２の接続信号は、当該パケット処理モジュール１０１２の所在するラインカードシャーシ内のすべての光電変換ユニット１０７に平均に割り当てられる。このように、パケット処理モジュール１０１２の接続負荷をすべての光電変換ユニット１０７に分担するため、システムが冗長性を有し、１つの光電変換ユニット１０７が故障する時、依然として輻輳無しの線速で転送することを保証できる。
【００２３】
本願の実施例によるラインカードユニット１０１と光電変換ユニット１０７との接続関係をさらに理解するために、以下、具体的な例示によって説明する。仮に１つのラインカードシャーシ中には合計で１２個のラインカードユニット１０１と６個の光電変換ユニット１０７と３個の光ファイバインターフェースユニット１０６とを有し、各ラインカードユニット１０１が３個のパケット処理モジュール１０１２を提供し、各パケット処理モジュール１０１２が合計で光電変換ユニット１０７への３６個のＬａｎｅｓ（３６個の受信と３６個の送信）信号を有し、各光電変換ユニット１０７が３個の光コネクタ１０６２を提供し、各光コネクタ１０６２が６個のサブインターフェースを提供し、各光電変換ユニット１０７が合計で１８個のオンボード光コンポーネントモジュール１０７１を有し、各オンボード光コンポーネントモジュール１０７１が１２個のＬａｎｅｓ（１２個の送信と１２個の受信）信号を２４コア光信号に変換し、各光ファイバインターフェースユニット１０６が１２個のクラスタインターフェース１０６１を提供し、各クラスタインターフェース１０６１が３個のサブインターフェースを提供する。
【００２４】
図４に示すように、パケット処理モジュール１０１２と６個の光電変換ユニット１０７とは、リンク接続を有する。これによって、パケット処理モジュール１０１２の３６個のＬａｎｅｓ信号が６個の光電変換ユニット１０７に平均に割り当てられ、各光電変換ユニット１０７が６個のＬａｎｅｓを得る。１８個のオンボード光コンポーネントモジュール１０７１を６個のオンボード光モジュール仮想ユニット１０７２に分割し、各オンボード光モジュール仮想ユニット１０７２が各パケット処理モジュール１０１２の１つのＬａｎｅｓを得る。すなわち、各オンボード光モジュール仮想ユニット１０７２の３６個のＬａｎｅｓが３６個のパケット処理モジュール１０１２からのものである。すなわち、各パケット処理モジュール１０１２がそれぞれ１つのＬａｎｅ信号を１つのオンボード光モジュール仮想ユニット１０７２に提供する。
【００２５】
各オンボード光モジュール仮想ユニット１０７２は、３個のオンボード光コンポーネントモジュール１０７１を含むため、各オンボード光モジュール仮想ユニット１０７２は、３６個のＬａｎｅｓの電気信号を７２コア光信号に変換した後、光コネクタ１０６２に接続し、各光コネクタ１０６２は、６個のサブインターフェース１０６３を提供し、各サブインターフェース１０６３は、２４コアマルチモード光ファイバを提供する。３個のサブインターフェース１０６３の７２コアマルチモード光ファイバ信号は、１つのオンボード光モジュール仮想ユニット１０７２からのものであるため、これらの信号は、１２個のラインカードユニットの３６個のパケット処理モジュールの各１つのＬａｎｅ信号からのものである。
【００２６】
図５は、本願の実施例による光インターフェースユニットの接続関係の模式図である。図５を参照すると、各クラスタインターフェース１０６１は、光コネクタ１０６２の３個のサブインターフェースに接続される７２コアマルチモード光インターフェース（すなわち、３個の２４コアサブインターフェース）を提供する。このように、クラスタインターフェース１０６１の７２コア光ファイバ信号（すなわち、３６個のＬａｎｅｓ信号）は、１２個のラインカードユニット１０１の３６個のパケット処理モジュール１０１２からのものである。
【００２７】
図６は、本願の実施例による光コネクタの内部構成の模式図である。図６を参照すると、光コネクタ１０６２は、複数のサブインターフェース１０６３を含み、各サブインターフェース１０６３は、マルチコア光ファイバ接続を提供する。複数のサブインターフェースを用いることにより、一方で光信号の接続密度を高めることができ、他方で光コネクタのエンジニアリング上の難易度を低減することができる。光ファイバインターフェースユニット１０６と光電変換ユニット１０７を挿抜する時、光コネクタ１０６２は、光ファイバヘッドを保護することができ、すなわち、挿抜中においてサブインターフェースの光コネクタと光ファイバとをダメージから保護することができる。
【００２８】
クラスタインターフェース１０６１に複数のサブインターフェースを用いることも、光信号の接続密度を高めることができ、サブインターフェース光接続のエンジニアリング上の難易度を低減することができる。一方では、ラインカードシャーシと中央交換シャーシの光ファイバの数を少なくすることができ、工程配線の実現がより容易になる。
【００２９】
本願の実施例によれば、より高い密度の光ファイバコネクタおよびマルチコア分岐光ファイバ（Ｂｒｅａｋｏｕｔ  Ｃａｂｌｅ）を採用する。図７に示すように、仮に光コネクタ１０６２のサブインターフェース１０６３が７２コアの光インターフェースであり、クラスタインターフェース１０６１ａのサブインターフェースが２４コアであり、クラスタインターフェース１０６１ｂのサブインターフェースが７２コアである。
【００３０】
光コネクタ１０６２とオンボード光コンポーネントモジュール１０７１との間の光接続の具体的な実現方式について、本願の実施例は、光ファイバ交差接続によって光コネクタ１０６２とオンボード光コンポーネントモジュール１０７１との間の光信号接続を実現するという解決案を提供する。本願の一実施例によれば、光電変換ユニット１０７のプリント回路基板上において、オンボード光コンポーネントモジュール１０７１を対応する電気コネクタ１０１３の近傍に配置する。これによって、プリント回路基板により接続されることに起因する、レイアウトが複雑で、層数が多く、伝送距離が遠く、電気信号品質が悪いという特徴を改善する。
【００３１】
図８は、本願の実施例によるラインカードユニットと光電変換ユニットとの接続関係の模式図である。図８を参照すると、光交差相互接続ユニット１０７３は、オンボード光コンポーネントモジュール１０７１から光コネクタ１０６２への光信号相互接続を実現し、最終的にクラスタインターフェースの７２コア光信号（３６個のＬａｎｅｓ信号）が依然として３６個のパケット処理モジュールから均等に受信されることを実現する。
【００３２】
光交差相互接続ユニット１０７３は、マルチコア分岐光ファイバまたは光バックプレーン（Ｓｈｕｆｆｌｅ）によって実現される。その基本的な原理は同じであり、全て光ファイバ接続であり、ただ載せる物理媒体が異なるだけである。
【００３３】
図９は、本願の実施例によるオンボード光コンポーネントモジュールと光コネクタとの間の４×４マルチコア光ファイバ交差相互接続模式図である。図９を参照すると、異なるオンボード光コンポーネントモジュールからの光信号は、光ファイバジャンパ線のモードによって、異なる光コネクタまたは光コネクタのサブインターフェースに接続される。光ファイバジャンパ線とは、光ファイバ内部の接続関係によって、入方向と出方向インターフェースの変更、または、インターフェース信号線の順番の変更を実現することを指す。例えば、オンボード光コンポーネントモジュール１からの４本のファイバは、それぞれ光コネクタ１、光コネクタ２、光コネクタ３および光コネクタ４に接続される。
【００３４】
本願の各実施例では、マルチシャーシクラスタルータは、依然として多段交換アーキテクチャを採用する。
【００３５】
本願の実施例は、中央交換シャーシおよびラインカードシャーシを含みマルチシャーシクラスタルータを提供する。中央交換シャーシとラインカードシャーシとの間が光ファイバによって相互接続される。当該マルチシャーシクラスタルータは、上記ラインカードシャーシを採用する。
【００３６】
前記中央交換シャーシは、同一のラインカードシャーシ内の異なるラインカードユニット間の経路選択、および異なるラインカードシャーシ間の経路選択を実現する。
【００３７】
さらに、本願の実施例によるマルチシャーシクラスタルータでは、中央交換シャーシは、第１種経路選択ユニットと第２種経路選択ユニットとを含み、第２種経路選択ユニットがクラスタインターフェースおよび第１種経路選択ユニットに接続されることにより、同一のラインカードシャーシ内のクラスタインターフェースから第１種経路選択ユニットへの経路選択または第１種経路選択ユニットからクラスタインターフェースへの経路選択を実現する。第１種経路選択ユニットが第２種経路選択ユニットに接続されて、異なるラインカードシャーシ間の第２種経路選択ユニットの経路選択を実現する。
【００３８】
図１０は、本願の実施例による中央交換シャーシの交換ユニットの機能ブロック図である。図１０を参照すると、本願の一実施例による交換ユニット３０１は、第２段の経路選択ユニット３０１１と第１段の経路選択ユニット３０１２と第３段の経路選択ユニット３０１２とを含む。第１段の経路選択ユニット３０１２と第３段の経路選択ユニット３０１２とは、接続関係および機能が全く同一であり、ただ第１段の経路選択ユニットが入口方向にあり、第３段の経路選択ユニットが出口方向にあるため、以下では区別されず、第２種経路選択ユニットと総称するが、対応的に、第２段の経路選択ユニット３０１１は、第１種経路選択ユニットとなる。各第１、３段の経路選択ユニット３０１２は、ラインカードシャーシ１００中の各クラスタインターフェース１０６１と複数の第２段の経路選択ユニット３０１１に接続されて、クラスタインターフェース１０６１から第２段の経路選択ユニット３０１１への経路選択または第２段の経路選択ユニット３０１１からクラスタインターフェース１０６１への経路選択を実現する。第２段の経路選択ユニット３０１１は、複数の第１、３段の経路選択ユニット３０１２に接続されて、異なる第１、３段の経路選択ユニット３０１２間の経路選択を実現する。
【００３９】
本発明の実施例は、上記したマルチシャーシクラスタルータを用いたパケット処理方法をさらに提供する。当該方法は、入口ラインカードシャーシのラインカードユニットがパケット入方向処理を行い、パケットを入口ラインカードシャーシの光電変換ユニットに送信するステップと、前記光電変換ユニットが電気信号を光信号に変換し、光信号を中央交換シャーシに伝送するステップと、中央交換シャーシがパケット交換を行い、入インターフェースが光信号を電気信号に変換し、パケットヘッドに基づいて目的ラインカードシャーシを検索し、出インターフェースが電気信号を光信号に変換し、光信号を目的ラインカードシャーシに伝送するステップと、目的ラインカードシャーシの光電変換ユニットが光信号を電気信号に変換し、電気信号を目的ラインカードユニットに伝送するステップと、目的ラインカードユニットがパケット出方向処理を行い、前記パケットを送信するステップと、を含む。
【００４０】
図１１は、本願の実施例によるマルチシャーシクラスタシステムのパケット転送処理のフローチャートである。図１１を参照すると、図２および図３の前記マルチシャーシクラスタルータに基づき、本願の別の実施例によるパケット処理フローは、以下のステップを含む。
【００４１】
ステップＳ１２０１では、入口ラインカードシャーシ１００のラインカードユニット１０１がパケット解析、ストリーム分類、キャッシュ、流量管理、テーブルルックアップ転送、パケットダイシングおよび先頭付加を含むパケット入方向処理を行ってから、パケットを光電変換ユニットに送信する。
【００４２】
ステップＳ１２０２では、光電変換ユニット１０７が電気信号から光信号への変換過程を実行し、具体的に、オンボード光コンポーネントモジュール、光コネクタ、クラスタインターフェースおよびその間の光ファイバ、光ファイバ４００を順次に経て、光信号を中央交換シャーシ３００に送信する。
【００４３】
ステップＳ１２０３では、中央交換シャーシ３００がパケット交換を行なう。具体的には、入インターフェースが光信号を電気信号に変換し、パケットヘッドに基づいて目的ラインカードシャーシ２００を検索し、出インターフェースが電気信号を光信号に変換し、目的ラインカードシャーシ２００に送信する。
【００４４】
ステップＳ１２０４では、目的ラインカードシャーシ２００の光電変換ユニット２０７が光信号を電気信号に変換し、具体的に、光ファイバ５００、目的ラインカードシャーシのクラスタインターフェース、光コネクタ、オンボード光コンポーネントモジュールおよびその間の光ファイバを順次に経て、目的ラインカードユニット２０１に送信する。ここで、目的ネットワークに対応するラインカードユニットが目的ラインカードユニットである。
【００４５】
ステップＳ１２０５では、前記電気信号を受信したラインカードユニットである前記目的ラインカードユニットがパケット組換え、サービス品質保証（流量管理、キュースケジューリング等）、リンク層情報付加というパケット出方向処理を行い、パケットを送信する。
【００４６】
理解すべきことは、本明細書を各実施形態に従って説明したが、各実施形態が１つの独立した解決手段のみを含むことではなく、明細書のこのような説明形態が内容を明らかにするだけである。当業者は、明細書を１つの全体として見なすべきである。各実施形態における解決手段も適宜組み合わせられて当業者に理解できる他の実施形態を形成可能である。
【００４７】
上記したのは、本願の好適な実施例に過ぎず、本願の保護範囲を制限するためのものではない。本願の解決手段の要旨および原則内でなされた如何なる変更、均等物による置換、改良等も、本願の保護範囲内に含まれる。
【図１】
0006605747.tif 000002
【図２】
0006605747.tif 000003
【図３】
0006605747.tif 000004
【図４】
0006605747.tif 000005
【図５】
0006605747.tif 000006
【図６】
0006605747.tif 000007
【図７】
0006605747.tif 000008
【図８】
0006605747.tif 000009
【図９】
0006605747.tif 000010
【図１０】
0006605747.tif 000011
【図１１】
0006605747.tif 000012